(57)【要約】［課題］  特に車で仮眠を取るとき、頭をうまく固定出来なくて首が痛くなったり、太陽の光がまぶしかったり、高温の太陽熱が直接顔に当たって顔が熱かったり、通行人に寝顔を見られるのが恥ずかしくてねむれなかったり、顔にハンカチをのせて寝たため鼻息が気になって眠れなかったりして、快適な仮眠が取れなかった。それらを一気に解決する枕を提供する。［解決手段］  顔より少し離して顔全体にカバーをかけて顔を隠し、頭と首を固定することで首に負担をかけなようにした。更に収納も簡単にし、使い易くした枕である。【選択図】    図１
2004223203.tif 000002
【特許請求の範囲】
【請求項１】
車についている座席枕に人の頭と顔をおおう事の出来る仮設枕を使用する事により、車の中で快適な仮眠を取る事が出来るようにした枕である（図１及び図２）。
【請求項２】
この仮眠枕は、マジックテープ６を使用することで、車についている座席枕に簡単に取り付け、取り外しが出来る事により、車の中や家庭やキャンプなど自由に持ち運びできてどこでも使用できる携帯枕である。
【請求項３】
この仮眠枕は、仮眠を取らないときは、車についている枕の裏側に収納できる枕である（図３）．
【請求項４】
顔をおおうカバーの角度を調整したり、仮眠をする時、頭と首を支える為に、調整板についているボルト１２の間には、スプリング９とギザギザの凹凸１０をつける事で、頭の重さを支えることが出来き角度調整もできる枕である。
【発明の詳細な説明】
【０００１】
［発明の属する技術分野］  車の中で仮眠をする時、頭の安定と心地よい仮眠を取れるようにした枕である。
【０００２】
［従来の技術］  従来は、顔や頭をおおう枕は、なかった。
【０００３】
［発明が解決しようとする課題］  特に車の中で、短時間にしっかりと仮眠を取るためには頭の位置を固定して首の負担をなくす事。更に車外からのまぶしい光や顔に当たる暑い太陽熱を防ぐ事。更に車外の人に寝顔を見られるのが、恥ずかしくて仮眠が取れないという課題があった。本発明は、この課題を解消するためになされたものである。
【０００４】
［課題を解決するための手段］  顔全体を顔より少し離して覆うことにより、上記の課題は解決され、自分の吐く息もカバーに当たらなくした（図２）。
【０００５】
［発明の実施の形態］
以下、本発明の実施の形態について説明する。
（イ）仮設枕は、マジックテープ６などで座席についている枕につける。
（ロ）仮眠を取る時、カバーを顔の前に持ってきてマジックテープ１などでとめる図２。
（ハ）使用しない時、カバーを座席についている枕の後ろで、マジックテープ１などでとめる図３。
【０００７】
［発明の効果］  顔が隠れることで、人目も気にならず、太陽のまぶしい光と顔に当たる高温の熱も当たらなく、首の負担もなく快適な仮眠を取る事が出来る。
【図面の簡単な説明】
【図１】本発明の側面図である。
【図２】本発明の仮眠を取っている時の頭上から見た図面である。
【図３】本発明を使用していない時の頭上から見た図面である。
【図４】カバーの角度の調節金具の側面図である。
【符号の説明】
１  カバーをとめるマジックテープ
２  厚みのある柔らかいクッションカバー
３  厚みのある少し固めのクッションカバー
４  仮設枕
５  車の座席についている枕
６  仮設枕を固定するマジックテープ
７  光をさえぎる布
８  カバーの角度を調節する金具
９  バネ
１０  金具の角度を小刻みに固定するために作られた凹凸
１１  仮設枕を固定するためのひも
１２  ボルト
１３  角度調節の金具
【図１】
2004223203.tif 000003
【図２】
2004223203.tif 000004
【図３】
2004223203.tif 000005
【図４】
2004223203.tif 000006
【手続補正書】
【提出日】平成15年3月3日(2003.3.3)
【手続補正１】
【補正対象書類名】明細書
【補正対象項目名】全文
【補正方法】変更
【補正の内容】
【特許請求の範囲】
【請求項１】車についている座席枕に人の頭と顔をおおう事の出来るカバー付きの仮設枕を使用する事により、車の中で快適な仮眠を取る事が出来るようにした枕である（図１）。
【請求項２】この仮眠枕は、仮眠を取らないときは、車についている座席枕の横側に折りたたんで収納でき（図３）、顔を覆うカバーは、背中の座席の後ろに折りたたんで収納できる（図５）。更にマジックテープ７を使い簡単に取り外しできる枕である。
【請求項３】仮眠をする時、頭と首を支える為に、調整板についているボルト１２の間には、スプリング９とギザギザの凹凸１０をつける事で、頭の重さを支え角度調整も小刻みに固定調整できる枕である。（図８）（図３）（図４）
【請求項４】顔を覆うカバーの骨１と土台５をつなぐボルト１２の間には、請求項３と同じ構造のスプリング９を使いギザギザの凹凸１０をつけることで、カバーを自由な角度に調整できる。（図５）（図６）（図１）
【発明の詳細な説明】
【０００１】
［発明の属する技術分野］  車の中で仮眠をする時、頭と首の負担をなくし、心地よい仮眠を取れるようにした枕である。
【０００２】
［従来の技術］  従来は、顔や頭をおおう枕は、なかった。
【０００３】
［発明が解決しようとする課題］  特に車の中で、短時間にしっかりと仮眠を取るためには頭の位置を固定して首の負担をなくす事。更に車外からのまぶしい光や顔に当たる暑い太陽熱を防ぐ事。更に車外の人に寝顔を見られるのが、恥ずかしくて仮眠が取れないという課題があった。本発明は、この課題を解決するためになされたものである。
【０００４】
［課題を解決するための手段］  顔を覆うカバーを顔より少し離して覆うことにより、自分の吐く息もカバーに当たらなくした（図１）。首や頭を支えることの出来る角度調整付きの枕により首への負担をなくした。（図４）
【０００５】
［発明の実施の形態］
以下、本発明の実施の形態について説明する。
（イ）仮設枕は、マジックテープ７などで座席についている枕に固定する。
（ロ）仮眠を取る時、頭を支える枕３立てる（図４）。カバー１で顔を覆う（図１）。
（ハ）使用しない時、カバーを座席の後ろに収納する（図２）。頭を支える枕３を元に戻す（図３）。
【０００７】
［発明の効果］  顔が隠れることで、人目も気にならず、太陽のまぶしい光と高温の熱が顔に当たらなく、首の負担もなく快適な仮眠を取る事が出来る。
【図面の簡単な説明】
【図１】本発明の側面図である。
【図２】仮眠枕を使用しない時の横面図である。
【図３】本発明を使用していない時の頭上から見た図面である。
【図４】頭を支える枕を立てたときの頭上から見た図面である。
【図５】枕とカバーを収納した時の後ろから見た図面である。
【図６】本体とカバーの接続部分の拡大図である。
【図７】車についている枕に本体を座席の幅に調整しながら設置するところの図面である。
【図８】首を支える枕の角度を調整できる金具の側面図である。
【符号の説明】
１  顔を覆うカバーの骨
２  車に初めからついている枕
３  首を支える為の角度調整可能な枕
４  取り外し可能な仮設枕
５  カバーを固定するための本体
６  角度調整金具
７  マジックテープ
８  本体の幅を調整するボルト
９  バネ
１０  金具の角度を小刻みに固定するために作られた凹凸
１１  穴
１２  ボルト


【手続補正２】
【補正対象書類名】図面
【補正対象項目名】全図
【補正方法】変更
【補正の内容】
【図１】
2004223203.tif 000007
【図２】
2004223203.tif 000008
【図３】
2004223203.tif 000009
【図４】
2004223203.tif 000010
【図５】
2004223203.tif 000011
【図６】
2004223203.tif 000012
【図７】
2004223203.tif 000013
【図８】
2004223203.tif 000014